(57)【特許請求の範囲】
【請求項１】
メインＣＰＵへの電源供給によりサーバよりＩＰアドレスを取得するＩＰアドレス取得機能を有し、動作電力を通常電力モードと省電力モードに切り替える電源切替手段であって、
第１のモード切替条件が成立したとき、メインＣＰＵへの電源供給を停止する第１の省電力モードに切り替え、第２のモード切替条件が成立したとき、メインＣＰＵへの電源供給を行いつつ省電力を行う第２の省電力モードに切り替え、前記第１及び第２の省電力モード時において、所定のモード切替条件が成立したとき、通常電力モードへ切り替える電源切替手段を備えた電子装置であって、
前記第１の省電力モード時において、所定の時間毎に前記ＩＰアドレスの取得を行うため、前記所定の時間をカウントするタイマと、
前記タイマのカウント数が前記所定の時間のカウント数に達したか否か判定するカウンタ判定手段と、
前記カウンタ判定手段が前記カウント数に達したと判定したとき、当該電子装置と前記サーバとの通信接続を検知する接続検知手段を有し、
前記電源切替手段は、前記第１の省電力モード時においては、前記通信接続が検知されたことを条件に、ＩＰアドレス取得のための前記通常電力モード又は第２の省電力モードへの切り替えを行うことを特徴とする電子装置。
【請求項２】
請求項１に記載された電子装置において、
前記第１の省電力モード時における所定のモード切替条件は、前記通信接続の検知であることを特徴とする電子装置。
【請求項３】
請求項１又は２に記載された電子装置において、
前記サーバに接続された通信線を当該電子装置に接続する接続部を有し、前記接続検知手段は、前記サーバに接続された通信線を前記接続部に接続したときに押下されるメカスイッチを有することを特徴とする電子装置。
【請求項４】
請求項１又は２に記載された電子装置において、
前記サーバに接続された通信線を当該電子装置に接続する接続部を有し、前記接続検知手段は、前記サーバに接続された通信線を前記接続部に接続したときの光量の変化を検知するフォトセンサを有することを特徴とする電子装置。
【請求項５】
請求項１又は２に記載された電子装置において、
前記サーバに接続された通信線を当該電子装置に接続する接続部を有し、前記接続検知手段は、前記サーバに接続された通信線を前記接続部に接続したときに短絡される短絡用コネクタピンを有することを特徴とする電子装置。
【請求項６】
請求項１又は２に記載された電子装置において、
前記接続検知手段は、前記サーバより受信するパケットを検知するサブＣＰＵを有することを特徴とする電子装置。
【請求項７】
メインＣＰＵへの電源供給によりサーバよりＩＰアドレスを取得する工程と、
動作電力を通常電力モードと省電力モードに切り替える電源切替工程であって、第１のモード切替条件が成立したとき、メインＣＰＵへの電源供給を停止する第１の省電力モードに切り替え、第２のモード切替条件が成立したとき、メインＣＰＵへの電源供給を行いつつ省電力を行う第２の省電力モードに切り替え、前記第１及び第２の省電力モード時において、所定のモード切替条件が成立したとき、通常電力モードへ切り替える電源切替工程と、を有する電力モード切替方法であって、
前記第１の省電力モード時において、所定の時間毎に前記ＩＰアドレスの取得を行うため、前記所定の時間をカウントする工程と、
前記カウントする工程におけるカウント数が前記所定の時間のカウント数に達したか否か判定する工程と、
前記判定する工程において前記カウント数に達したと判定したとき、当該電子装置と前記サーバとの通信接続を検知する接続検知工程を有し、
前記電源切替工程では、前記第１の省電力モード時において、前記通信接続が検知されたことを条件に、ＩＰアドレス取得のための前記通常電力モード又は第２の省電力モードへの切り替えを行うことを特徴とする電力モード切替方法。
【請求項８】
請求項７に記載された電力モード切替方法において、
前記第１の省電力モード時における所定のモード切替条件は、前記通信接続の検知であることを特徴とする電力モード切替方法。
【請求項９】
請求項７又は８に記載された電力モード切替方法における各工程をコンピュータで実行するためのプログラム。
【請求項１０】
請求項９に記載されたプログラムを記録したコンピュータ読取可能な記録媒体。
【発明の詳細な説明】
【技術分野】
【０００１】
本発明は、通常電力モードと省電力モードとを切り替える電子装置、電力モード切替方法、プログラム及びこれを記録したコンピュータ読み取り可能な記録媒体に関する。
【背景技術】
【０００２】
クライアントがネットワーク上の他のホスト装置等と接続してパケットの送受信をするためには、クライアントは、ネットワークに接続するホスト装置等を識別するための番号であるＩＰ（Internet Protocol）アドレスを取得し、装置に設定する必要がある。
【０００３】
そのため、ＤＨＣＰ（Dynamic Host Configuration Protocol）等のＩＰアドレスを自動的に割り当てるプロトコルでは、クライアントの電源をＯＮして立ち上げると、クライアントは、ＤＨＣＰサーバを検出するためのＤＨＣＰのプロトコルを用いたメッセージ（パケット）をブロードキャストする。このメッセージを受けたＤＨＣＰサーバは、応答メッセージをブロードキャストする。
メッセージを受信したクライアントは、上記ＤＨＣＰサーバにＩＰアドレスの割り当てを要求するメッセージを送信し、ＤＨＣＰサーバは、そのクライアントに割り当てたＩＰアドレスのデータを含んだメッセージを送信する。これにより、クライアントは割り当てられたＩＰアドレスを自装置に設定する。
【０００４】
このクライアント（電子装置）が、メインＣＰＵ（Central Processing Unit）への電源供給を停止して電力消費を低減させるいわゆる省電力モード（又は省エネルギーモード）機能を有する場合は、省電力モード時には上記メッセージの送受信ができないため、ＩＰアドレスを取得するためには、省電力モードへの移行を禁止するか、通常電力モードに復帰するか、メインのＣＰＵに電源供給を行う別の省電力モードに移行するか、いずれにしてもメインＣＰＵに電源供給が行われる状態にする必要がある。
従って、クライアントでは、ＩＰアドレス取得が出来ない間は、省電力モードに移行しないか、又は定期的に任意の期間でメインＣＰＵへの電源供給停止と電源供給を繰り返している。
【０００５】
図１２は、従来のクライアントがＩＰアドレスを取得する際の消費電力の変動を表す図（グラフ）である。
この図では、縦軸を消費電力（Ｗ）、横軸を時間（Ｓ）として示している。図示のように時間Ｔ１の時点で、クライアントは省電力モードへ移行する条件が整い、省電力モードへ移行し、電力の消費を低減した状態になる。所定の時間が経過し、時間Ｔ２に達すると、クライアントはＩＰアドレスを取得するために通常電力モードへ移行して、上述したようにＤＨＣＰサーバを検出するためのメッセージを送信し、応答を待つ。所定の時間経過しても応答がない場合はタイムアウトとなって、クライアントは再び省電力モードへ移行する（時間Ｔ３）。クライアントはこの手順をＩＰアドレスを取得するまで繰り返す（時間Ｔ４、Ｔ５、Ｔ６、Ｔ７）。
【０００６】
このクライアントは、動作時にネットワークに通信線が接続されない限りＩＰアドレスは取得できないが、接続されていない状態でもＩＰアドレス取得のため省電力モードへ移行しないか、又は定期的か任意の期間にかによらず、電源供給停止と電源供給の再開を繰り返すため消費電力が無駄になるという問題がある。
【発明の開示】
【発明が解決しようとする課題】
【０００７】
本発明は上記問題を解決するためになされたもので、その目的は、通信線が接続されていないクライアントにおいて、ＩＰアドレスを取得するメッセージを送信するために省電力モードを解除することを防止し、無駄な消費電力を低減することである。
【課題を解決するための手段】
【０００８】
請求項１の発明は、メインＣＰＵへの電源供給によりサーバよりＩＰアドレスを取得するＩＰアドレス取得機能を有し、動作電力を通常電力モードと省電力モードに切り替える電源切替手段であって、第１のモード切替条件が成立したとき、メインＣＰＵへの電源供給を停止する第１の省電力モードに切り替え、第２のモード切替条件が成立したとき、メインＣＰＵへの電源供給を行いつつ省電力を行う第２の省電力モードに切り替え、前記第１及び第２の省電力モード時において、所定のモード切替条件が成立したとき、通常電力モードへ切り替える電源切替手段を備えた電子装置であって、前記第１の省電力モード時において、所定の時間毎に前記ＩＰアドレスの取得を行うため、前記所定の時間をカウントするタイマと、前記タイマのカウント数が前記所定の時間のカウント数に達したか否か判定するカウンタ判定手段と、前記カウンタ判定手段が前記カウント数に達したと判定したとき、当該電子装置と前記サーバとの通信接続を検知する接続検知手段を有し、前記電源切替手段は、前記第１の省電力モード時においては、前記通信接続が検知されたことを条件に、ＩＰアドレス取得のための前記通常電力モード又は第２の省電力モードへの切り替えを行うことを特徴とする。
請求項２の発明は、請求項１に記載された電子装置において、前記第１の省電力モード時における所定のモード切替条件は、前記通信接続の検知であることを特徴とする。
請求項３の発明は、請求項１又は２に記載された電子装置において、前記サーバに接続された通信線を当該電子装置に接続する接続部を有し、前記接続検知手段は、前記サーバに接続された通信線を前記接続部に接続したときに押下されるメカスイッチを有することを特徴とする。
請求項４の発明は、請求項１又は２に記載された電子装置において、前記サーバに接続された通信線を当該電子装置に接続する接続部を有し、前記接続検知手段は、前記サーバに接続された通信線を前記接続部に接続したときの光量の変化を検知するフォトセンサを有することを特徴とする。
請求項５の発明は、請求項１又は２に記載された電子装置において、前記サーバに接続された通信線を当該電子装置に接続する接続部を有し、前記接続検知手段は、前記サーバに接続された通信線を前記接続部に接続したときに短絡される短絡用コネクタピンを有することを特徴とする。
請求項６の発明は、請求項１又は２に記載された電子装置において、前記接続検知手段は、前記サーバより受信するパケットを検知するサブＣＰＵを有することを特徴とする。
請求項７の発明は、メインＣＰＵへの電源供給によりサーバよりＩＰアドレスを取得する工程と、動作電力を通常電力モードと省電力モードに切り替える電源切替工程であって、第１のモード切替条件が成立したとき、メインＣＰＵへの電源供給を停止する第１の省電力モードに切り替え、第２のモード切替条件が成立したとき、メインＣＰＵへの電源供給を行いつつ省電力を行う第２の省電力モードに切り替え、前記第１及び第２の省電力モード時において、所定のモード切替条件が成立したとき、通常電力モードへ切り替える電源切替工程と、を有する電力モード切替方法であって、前記第１の省電力モード時において、所定の時間毎に前記ＩＰアドレスの取得を行うため、前記所定の時間をカウントする工程と、前記カウントする工程におけるカウント数が前記所定の時間のカウント数に達したか否か判定する工程と、前記判定する工程において前記カウント数に達したと判定したとき、当該電子装置と前記サーバとの通信接続を検知する接続検知工程を有し、前記電源切替工程では、前記第１の省電力モード時において、前記通信接続が検知されたことを条件に、ＩＰアドレス取得のための前記通常電力モード又は第２の省電力モードへの切り替えを行うことを特徴とする。
請求項８の発明は、請求項７に記載された電力モード切替方法において、前記第１の省電力モード時における所定のモード切替条件は、前記通信接続の検知であることを特徴とする。
請求項９の発明は、請求項７又は８に記載された電力モード切替方法における各工程をコンピュータで実行するためのプログラムである。
請求項１０の発明は、請求項９に記載されたプログラムを記録したコンピュータ読取可能な記録媒体である。
【発明の効果】
【０００９】
本発明によれば、通信線がクライアントに接続されていない状態では、ＩＰアドレスを取得するメッセージを取得するために省電力モードを解除することを防止するため、従来装置に比して省電力効果が向上し、電力コストを低減することができる。
【発明を実施するための最良の形態】
【００１０】
（第一の実施形態）
以下、本発明の電子装置の第一の実施形態に係る情報通信装置について、添付した図面を参照して説明する。
図１は、第一の実施形態に係る情報通信装置のブロック図である。
情報通信装置１は各部を制御するメインＣＰＵ２と、このメインＣＰＵ２で実行するプログラムを格納したＲＯＭ３と、メインＣＰＵ２のワークメモリであるＲＡＭ４と、メインＣＰＵ２が装置各部（又は基板各部）を制御するためのタイマ５と、情報通信装置１の電力モードを省電力モード、又は通常電力モードに切り替える切替制御を行う省電力制御部６と、ネットワーク接続した外部機器等とデータ通信を行う通信部７と、装置各部に供給する電源を切り替える電源切替手段であるＦＥＴ（Field Effect Transistor）９と、通信線の接続を検知する接続検知手段を備えた接続検知部１６と、通信線を情報通信装置１に接続するための接続部であるコネクタ１７を備えている。
【００１１】
メインＣＰＵ２は、システムバス１８で互いに接続された各部（ＲＯＭ３、ＲＡＭ４、タイマ５、省電力制御部６、通信部７）を制御する。タイマ５は、例えば、メインＣＰＵ２が装置各部を同期制御するのに用いられる。また、メインＣＰＵ２はＩＰアドレスを取得するための信号を作成してサーバに送信する処理を行う。
ＦＥＴ９は省電力制御部６からの電源制御信号１０に応じて、省電力モード時の電源Ｖ１と、通常モード時における電源Ｖ１、Ｖ２とに切り替え制御する。
なお、メインＣＰＵ２への電力の供給はこの電源Ｖ２によって行われる。
【００１２】
省電力制御部６は、所定の省電力モードへの移行条件（例えば、所定の時間ユーザからの操作がない等）が成立すると、ＦＥＴ９のゲート（Gate）電極を制御する電源制御信号１０をＦＥＴ９へ送信し、ＦＥＴ９のゲート電極をOFFして電源Ｖ２への電源の供給を停止し、情報通信装置１を省電力モードへ移行させる。
また、所定の省電力復帰条件（省電力モードから通常電力モードへ復帰する条件：例えば、ユーザが操作等の入力処理を行う等）が成立すると、省電力制御部６から電源制御信号１０をＦＥＴ９へ送信して、ＦＥＴ９のゲート電極をＯＮし、電極Ｖ２への電源供給を開始し、情報通信装置１を通常電力モードへ移行させる。
【００１３】
通信部７は、コネクタ１７及びこれに接続された通信線１２を介して、外部のサーバ１１と接続している。接続検知部１６は、コネクタ１７に接続した通信線１２を検知すると、省電力制御部６へ接続検知信号８を送信する。これを省電力制御部６が受信すると、省電力制御部６は上記電源制御信号１０をＦＥＴ９へ送信して情報通信装置１を通常電力モードへ移行させる。
【００１４】
この情報通信装置１は、メインＣＰＵ２が通信部７を制御し、ＤＨＣＰ等のＩＰアドレスを自動的に割当てるプロトコルを用いて、サーバ１１からＩＰアドレスを取得することができる。
【００１５】
図２は、情報通信装置１が省電力モード時にＩＰアドレスを取得する手順を示すフロー図である。
所定の省電力モードへの移行条件が成立し、メインＣＰＵ２の電源Ｖ２の電力供給を停止した省電力モード時において、定期的又は任意の期間毎にＩＰアドレスの取得を試みるため、タイマ５によりカウンタをカウントアップする（Ｓ１０１）。
カウンタが予め定めたカウンタ数（FULL）に達し、ＩＰアドレス取得のためのメッセージを送信する時間となったとき（Ｓ１０２、ＹＥＳ）、接続検知部１６が通信線１２の接続を検知したか否かを省電力制御部６が判定する（Ｓ１０３）。通信線１２の接続が検知されない限り、後段の処理には進まない（Ｓ１０３、ＮＯ）。
通信線１２の接続を検知したと判定したとき、即ち、接続検知部１６からの接続検知信号８を受信したと判定したとき（Ｓ１０３、ＹＥＳ）、省電力制御部６は省電力復帰条件が成立したと認識し（Ｓ１０４）、電源制御信号１０をＦＥＴ９に送信して、省電力復帰、即ち省電力モードから通常電力モードへ復帰（移行）させる（Ｓ１０５）。
【００１６】
以上の処理により、任意の時間が経過して、即ちカウンタがカウントアップしてＩＰアドレスを取得するためのメッセージを送信するときになっても、通信線１２が接続されていないときは通常電力モードには移行しないため、消費電力を低減することができる。
なお、その他の省電力復帰条件、例えばユーザによる省電力モードへの移行指示が入力されたとき等は、通常通り省電力モードへ移行される。
【００１７】
図３は情報通信装置１が省電力モード時にＩＰアドレスを取得する別の手順を示すフロー図である。
まず、省電力モード時において、接続検知部１６が通信線１２の接続を検知したか否かを省電力制御部６が判定する（Ｓ２０１）。通信線１２の接続を検知したと判定したとき（Ｓ２０１、ＹＥＳ）、接続検知部１６は接続検知信号８を省電力制御部６へ送信する。これを省電力制御部６が受信すると、省電力制御部６は省エネ復帰条件が成立したと判断し（Ｓ２０２）、省電力復帰、即ち省電力モードから通常電力モードへ復帰（移行）させる（Ｓ２０３）。
【００１８】
以上の処理フローで説明したように、本情報通信装置１では、通信線１２の接続、即ち接続検知部１６の検知信号の検出を省電力復帰条件としているため、より早くＩＰアドレスの取得を行うことができ、ユーザの待ち時間を低減することができる。
【００１９】
次に、接続検知部１６が通信線１２の接続を検知する具体例を説明するため、接続検知部１６の具体的な構成を説明する。
図４は、接続検知部１６の例であるメカスイッチを示す図であり、図４Ａは接続検知部１６の側面図を、図４Ｂは接続検知部１６が通信線１２の接続を検知する例を説明する図を、図４Ｃは接続検知部１６の回路図を示している。
図４Ａに示すように、接続検知部１６はスイッチ２２が設けられたスイッチ台２４の端部に、レバー２１の一端を回動可能に固着して形成されている。支点２３を中心にレバー２１を図中矢印下方向に回動すると、そのレバー２１によってスイッチ２２が押下される。
スイッチ２２が押下されると、スイッチ台２４の下部に設けられたピン２５ａ、２５ｂが短絡（ショート）する。
【００２０】
図４Ｂに示すように、接続検知部１６は、図１に示したコネクタ１７の内面に設けられている。通信線１２のコネクタ部１２ａを図中矢印の方向に移動させて、コネクタ１７に挿入すると、コネクタ部１２ａが接続検知部１６のレバー２１と接触して、レバー２１を図中矢印方向（下方向）に回動させ、スイッチ２２を押下する。
【００２１】
また、スイッチ２２が押下されていないときは、この接続検知部１６は、図４Ｃの回路図に示すように、スイッチＳＷ１が開放され、プルアップ抵抗Ｒ１により、省電力制御部６へＨｉｇｈレベルの信号を送信している。省電力制御部６はＨｉｇｈレベルの信号を受信しているときは、通信線１２が非接続であると判断する。
図４Ｂに示したスイッチ２２が押下されると、図４Ｃに示したスイッチＳＷ１は短絡し、回路はＧＮＤ（接地）接続されて、省電力制御部６へＬｏｗレベルの信号を送信する。省電力制御部６はＬｏｗレベルの信号を受信すると、通信線１２が接続されたと判断する。
図４Ｃに示す回路を本情報通信装置１に追加しても、消費電力はプルアップ抵抗Ｒ１に流れる電流のみであるため、少量の電力によって接続検知部１６を稼動させることができる。
【００２２】
図５は、接続検知部１６の別の例であるフォトセンサを示す図であり、図５Ａは接続検知部１６の側面図を、図５Ｂは接続検知部１６が通信線１２の接続を検知する例を説明する図を示している。
このフォトセンサである接続検知部１６は、図５Ａに示すように、アノードピン２７とカソードピン２６を備えた発光部２８と、電源ピン３２と出力ピン３１と、ＧＮＤピン３０を備えた受光部２９とから構成されている。
発光部２８は、アノードピン２７とカソードピン２６に電圧をかけると発光し、受光部２９は発光部２８が発した光に応じて、出力ピン３１から信号を出力する。例えば、受光部２９が光を検知すると、出力ピン３１からＨｉｇｈレベルの信号を、検知しないときは、Ｌｏｗレベルの信号を出力する。
【００２３】
また、図５Ｂに示すように、接続検知部１６が、図１に示したコネクタ１７の内面に設けられた場合、図に示した状態では、発光部２８から発されている光を受光部２９が受光し、出力ピン３１からＨｉｇｈレベルの信号を発信している。この状態で、通信線１２のコネクタ部１２ａをコネクタ１７に挿入すると、このコネクタ部１２ａにより発光部２８の発している光は遮断され、受光部２９は受光しなくなり、出力ピン３１からＬｏｗレベルの信号を発信するようになる。
このＨｉｇｈレベルからＬｏｗレベルへの信号の変化を、図１に示した省電力制御部６が検知し、これに従って電源制御信号１０をＦＥＴ９へ送信する。
この接続検知部１６の例は、光の検知を利用したものであるため、衝撃・摩耗等による耐久性の劣化が少ない。
【００２４】
図６は、接続検知部１６のさらに別の例である、コネクタ１７及び通信線１２に追加する回路を示す図である。
通信線１２及びコネクタ１７は、これらを構成している複数の信号線（ピン）（ＣＮ１−１〜ＣＮ１−４、ＣＮ２−１〜ＣＮ２−４）、のうち、通信線１２の信号線ＣＮ１−１とＣＮ１−２とが短絡され、コネクタ１７側の信号線ＣＮ２−１にプルアップ抵抗Ｒ１が、ＣＮ２−２がＧＮＤに接続されている。
図示の状態においては、コネクタ１７側のＣＮ２−１から省電力制御部６へ、プルアップ抵抗Ｒ１によりＨｉｇｈレベルの信号が出力される。
通信線１２とコネクタ１７とを接続すると、各信号線は、ＣＮ１−１とＣＮ２−１、ＣＮ１−２とＣＮ２−２、ＣＮ１−３とＣＮ２−３、ＣＮ１−４とＣＮ２−４とが接続される。従って、ＣＮ２−１の信号線は、ＣＮ１−１、ＣＮ１−２、ＣＮ２−２を介してＧＮＤ接続され、出力される信号がＨｉｇｈレベルからＬｏｗレベルへと変化し、これを省電力制御部６が検知する。
この回路を追加しても消費電力はプルアップ抵抗Ｒ１に流れる電流のみであるため、少量の電力によって接続検知部１６を稼動させることができる。
【００２５】
以上で説明したように、第一の実施形態に係る情報通信装置１は、接続検知部１６によって通信線１２の接続を検知し、通信線１２が検知されていないとき、即ち通信線１２が接続されていないときは、ＩＰアドレスの取得を目的としたメッセージを送信するための、省電力モードから通常電力モードへの移行は行わないため、電力消費を低減することができる。
【００２６】
（第二の実施形態）
以下に本発明の第二の実施形態に係る情報通信装置を添付した図面を参照して説明する。
第二の実施形態に係る情報通信装置は、電源Ｖ１〜Ｖ４で給電する通常電力モードに対する省電力モードとして、電源Ｖ１とＶ３から給電する第１の省電力モード、電源Ｖ１〜Ｖ３で給電する第２の省電力モードを有する。
【００２７】
図７は、第二の実施形態に係る情報通信装置のブロック図である。
第二の実施形態にかかる情報通信装置１は、基本的には第一の実施形態の情報通信装置と同一であるため、第一の実施形態と同一部分には同一符号を付して同一部分については説明を省略し、異なる部分についてのみ説明する。
【００２８】
ここでは２つのＦＥＴ９、１３が用いられている。省電力制御部６は、予め定めた所定の第１の省電力モードへの移行条件（以下、省電力移行条件Ｉという）が成立したことを検出すると、ＦＥＴ９、１３のゲート電極を制御する電源制御信号１０，１４をＦＥＴ９，１３に送信し、ＦＥＴ９、１３のゲート電極をＯＦＦし、電源Ｖ２，Ｖ４からの電力の供給を停止させ電源、電源Ｖ１、Ｖ３のみからの給電を行う第１の省電力モード１へ移行させる。
【００２９】
また、これも予め定めた第１の省電力条件と異なる所定の第２の省電力モードへの移行する条件（以下、省電力移行条件II）が成立したことを検出すると、省電力制御部６は電源制御信号１０，１４をＦＥＴ９，１３に送信し、ＦＥＴ９のゲート電極をＯＮに、ＦＥＴ１３のゲート電極をＯＦＦにして、Ｖ４からの電力の供給を停止し、電源Ｖ１，Ｖ２，Ｖ３から電力を供給する第２の省電力モードへ移行させる。
なお、省電力移行条件Ｉ及びIIは、例えばユーザが図示しない入力装置のキーを操作するとか、或いは図示しない印刷装置などの付属装置の起動を指示するなどの条件に応じてユーザが任意に設定可能である。
【００３０】
情報通信装置の例えば図示しない入力部が所定の省電力復帰条件の成立を検出すると、電源制御信号１０，１４をＦＥＴ９，１３に送信して、ＦＥＴ９，１３のゲート電極をＯＮし、電源Ｖ２，Ｖ４からの電力供給を再開する。即ち、電源Ｖ１，Ｖ２，Ｖ３，Ｖ４の全てから電力を供給する通常電力モードへ移行させる。
【００３１】
図８は、第１の省電力モードと第２の省電力モードの機能を有する従来のクライアントがＩＰアドレスを取得する際の消費電力の例を表したグラフの参考図である。
図に示したグラフの縦軸は消費電力（Ｗ）を、横軸は時間（Ｓ）を示している。図示のように時間Ｔ１の時点で、クライアントは所定の省電力移行条件１が成立して、メインＣＰＵへの電源供給を停止する第１の省電力モードへ移行し、電力消費を低減した状態になる。所定の時間が経過し、時間Ｔ２に達して省電力移行条件２が成立すると、クライアントはＩＰアドレスを取得するためにメインＣＰＵに電源供給を行う第２の省電力モードへ移行して、ＤＨＣＰサーバを検出するためのメッセージを送信し、応答を待つ。所定の時間経過しても応答がない場合はタイムアウトとなって、クライアントは再び第１の省電力モードへ移行する（時間Ｔ３）。クライアントはこれらの手順をＩＰアドレスを取得するまで繰り返す（時間Ｔ４、Ｔ５、Ｔ６、Ｔ７）。
【００３２】
この装置では、第２の省電力モードを備えているために、情報通信装置１の省電力移行条件をより細かく設定することができるため、図１２に示した省電力モードと通常モードのみを有する従来のクライアントに比して消費電力をより一層低減することができる。しかしながら、この装置においても通信線が接続されていないときに、第１の省電力モードを解除して第２の省電力モードへ移行することは、不必要なモード移行のため電力を無駄に消費している。
【００３３】
図９は第二の実施形態に係る情報通信装置１が省電力モード時にＩＰアドレスを取得する手順を示すフロー図である。
所定の省電力移行条件Ｉの成立を検知して、メインＣＰＵ２の電源Ｖ２の電力供給を停止した第１の省電力モードの時において、任意の期間毎にＩＰアドレスの取得を試みるため、タイマ５によりカウンタをカウントアップする（Ｓ３０１）。
予め定めたカウンタ数にカウンタが達したとき（FULL）、即ちＩＰアドレス取得のためのメッセージを送信する時間となったとき（Ｓ３０２、ＹＥＳ）、接続検知部１６が通信線１２の接続を検知したか否かを省電力制御部６が判定する（Ｓ３０３）。通信線１２の接続が検知されない限り、後段の処理には進まない（Ｓ３０３、ＮＯ）。
通信線１２の接続を検知したと判定したとき、即ち、接続検知部１６からの接続検知信号８を受信したと判定したとき（Ｓ３０３、ＹＥＳ）、省電力制御部６は省電力移行条件２が成立したと認識し（Ｓ３０４）、省電力制御部６は電源制御信号１０をＦＥＴ９に送信して、ＦＥＴ９の電源Ｖ２をＯＮにして、第２の省電力モードへ移行する（Ｓ３０５）。
【００３４】
以上の処理により、任意の時間が経過してＩＰアドレスを取得するためのメッセージを送信するときになっても通信線１２が接続されていないときは、通常電力モードには移行させない。したがって、この実施形態によるときは、図８にて説明した従来の装置に比べて電力消費を低減することができる。
なお、第一の実施形態と同様、その他の省電力復帰条件、例えばユーザによる省電力復帰の指示が入力されたとき等は、通常通り省電力復帰が行われる。
また、ステップＳ３０５において、通常モードへ移行するようにしてもよい。
【００３５】
図１０は、情報通信装置１が第１の省電力モード時にＩＰアドレスを取得する別の手順を示すフロー図である。
まず、第１の省電力モード時において、接続検知部１６が通信線１２の接続を検知したか否かを省電力制御部６が判定する（Ｓ４０１）。検知したと判定したとき（Ｓ４０１、ＹＥＳ）、接続検知部１６は接続検知信号８を省電力制御部６へ送信する。これを省電力制御部６が受信すると、省電力制御部６は省エネ移行条件２が成立したと認識し（Ｓ４０２）、第２の省電力モードへ移行する（Ｓ４０３）。
【００３６】
以上の処理フローで説明したように、ＩＰアドレス取得のためのメッセージを送信するまでの任意の時間を待つことなく、通信線１２の接続、即ち接続検知部１６の検知信号を省電力復帰条件としているため、より早くＩＰアドレスの取得を行うことができ、ユーザの待ち時間を低減することができる。
なお、ステップＳ４０３においては、図９に示した処理フローと同様に、通常電力モードへ移行するようにしてもよい。
また、第二の実施形態に係る図７に示した接続検知部１６は、図４〜図６に示したものと同様である。
【００３７】
（第三の実施形態）
以下、本発明の第三の実施形態に係る情報通信装置１を添付した図面を参照しながら説明する。
図１１は、第三の実施形態に係る情報通信装置のブロック図である。
図示のように、第三の実施形態にかかる情報通信装置１は、基本的には第一の実施形態の情報通信装置と同一であるため、第一の実施形態の情報通信装置１と同一部分には同一符号を付して説明を省略し、異なる部分についてのみ説明する。
【００３８】
第三の実施形態に係る情報通信装置１は、コネクタ１７に通信線１２が接続されているか否かを検知する接続検知部が設けられておらず、代わりに本願発明の接続検知手段を備えたサブＣＰＵ１５が通信部７と通信可能に接続されている。
このサブＣＰＵ１５は、メインＣＰＵ２に電力供給を行わない省電力モード時において電力供給がされ、この省電力モード時において、サーバ１１から送信されるパケットを検知することで、通信線１２がコネクタ１７に接続されていることを検知することができる。
省電力モードにおいてサブＣＰＵ１５が通信線１２の接続を検知すると、通信部７を介して省電力制御部６へ上記検知した旨の通知を行い、その通知を受信した省電力制御部６は、ＦＥＴ９へ電源制御信号１０を送信してＦＥＴ９のゲート電極をＯＮにして、電源Ｖ２に電源を供給する。
【００３９】
第三の実施形態に係る情報通信装置１が、省電力モード時にＩＰアドレスを取得する手順は、図２及び図３に示した処理手順とほぼ同一であり、異なるのは、ステップＳ１０３及びステップＳ２０１の通信線１２の接続を検知したか否かの判定において、その検知をサブＣＰＵ１５が行うことだけである。
【００４０】
以上で説明した構成によれば、例えば、元々装置がサブＣＰＵ１５によるパケットを認識又は比較する機能を有している場合は、特別な回路の追加が不要であり、消費電力も増加することなく通信線１２の接続を検知することができる。
【００４１】
以上のフロー図に従って説明した処理を実行するためには、上記の処理の手順を記述したプログラムをコンピュータ（情報処理装置）に読み取らせる。また、コンピュータプログラムは、例えばＨＤＤ（ハードディスク）、ＣＤ（コンパクトディスク）、ＦＤ（フレキシブルディスク）、ＭＯ（光磁気ディスク）等の周知のコンピュータ読取可能な記録媒体に記録して、コンピュータにインストールすることが可能である。以下で説明する第二の実施形態及び第三の実施形態における処理についても同様である。
【図面の簡単な説明】
【００４２】
【図１】第一の実施形態に係る情報通信装置のブロック図である。
【図２】省電力モード時にＩＰアドレスを取得する手順を示すフロー図である。
【図３】省電力モード時にＩＰアドレスを取得する別の手順を示すフロー図である。
【図４】接続検知部の例であるメカスイッチを示す図である。
【図５】接続検知部の別の例であるフォトセンサを示す図である。
【図６】接続検知部のさらに別の例である、コネクタ及び通信線に追加する回路を示す図である。
【図７】第二の実施形態にかかる情報通信装置のブロック図である。
【図８】省電力モード１と省電力モード２の機能を有する従来のクライアントがＩＰアドレスを取得する際の消費電力の例を表したグラフの参考図である。
【図９】省電力モード時にＩＰアドレスを取得する手順を示すフロー図である。
【図１０】省電力モード１時にＩＰアドレスを取得する別の手順を示すフロー図である。
【図１１】第三の実施形態に係る情報通信装置のブロック図である。
【図１２】従来のクライアントがＩＰアドレスを取得する際の消費電力の変動を表す図（グラフ）である。
【符号の説明】
【００４３】
１・・・情報通信装置、２・・・メインＣＰＵ、３・・・ＲＯＭ、４・・・ＲＡＭ、５・・・タイマ、６・・・省電力制御部、７・・・通信部、８・・・接続検知信号、９，１３・・・ＦＥＴ、１０，１４・・・電源制御信号、１１・・・サーバ、１２・・・通信線、１２ａ・・・コネクタ部、１５・・・サブＣＰＵ、１６・・・接続検知部、１７・・・コネクタ、１８・・・システムバス、２１・・・レバー、２２・・・スイッチ、２３・・・支点、２４・・・スイッチ台、２５ａ，２５ｂ・・・ピン、２６・・・カソードピン、２７・・・アノードピン、２８・・・発光部、２９・・・受光部、３０・・・ＧＮＤピン、３１・・・出力ピン、３２・・・電源ピン、Ｖ１，Ｖ２，Ｖ３，Ｖ４・・・電源。
【図１】
0005031524.tif 000002
【図２】
0005031524.tif 000003
【図３】
0005031524.tif 000004
【図４】
0005031524.tif 000005
【図５】
0005031524.tif 000006
【図６】
0005031524.tif 000007
【図７】
0005031524.tif 000008
【図８】
0005031524.tif 000009
【図９】
0005031524.tif 000010
【図１０】
0005031524.tif 000011
【図１１】
0005031524.tif 000012
【図１２】
0005031524.tif 000013